(57)【特許請求の範囲】
【請求項１】
コイルと、前記コイルの内部に位置する内側コア部及び前記コイルから露出する外側コア部を有する磁性コアと、前記コイルと前記磁性コアとの組合体を内部に収納するケースとを備えるリアクトルであって、
前記ケースの前記組合体が載置される側を下側とするとき、
前記外側コア部は、前記内側コア部の上面よりも下方に位置する低上面部を有し、
更に、
前記外側コア部の前記低上面部の上方に配置されると共に、前記低上面部との重複領域が前記内側コア部の上面よりも下方に位置する支持部と、
前記ケース内に充填されて前記支持部の少なくとも一部を埋設する封止樹脂部とを備え、
前記封止樹脂部の上面が、前記内側コア部の上面よりも下方に位置し、
前記封止樹脂部は、前記外側コア部における前記低上面部の上面と前記支持部の下面との間に介在されているリアクトル。
【請求項２】
前記低上面部は、前記外側コア部のうち前記内側コア部と反対側に張り出して設けられている請求項１に記載のリアクトル。
【請求項３】
前記低上面部は、前記外側コア部のうち前記内側コア部と反対側の面を切り欠いた切欠により形成されている請求項１に記載のリアクトル。
【請求項４】
前記外側コア部の前記低上面部、前記支持部の前記重複領域、及び前記封止樹脂部の上面は、前記内側コア部の高さの半分よりも下方に位置している請求項１から請求項３のいずれか１項に記載のリアクトル。
【請求項５】
前記支持部は、前記ケースとは別部材で、前記ケースに取り付けられる請求項１から請求項４のいずれか１項に記載のリアクトル。
【請求項６】
前記ケースは、前記組合体が載置される底板部と、前記組合体の周囲を囲む側壁部とを備え、
前記側壁部の高さが、前記内側コア部の上面よりも低い請求項１から請求項５のいずれか１項に記載のリアクトル。
【発明の詳細な説明】
【技術分野】
【０００１】
本発明は、ハイブリッド自動車の車載用ＤＣ−ＤＣコンバータといった電力変換装置などに利用されるリアクトルに関する。特に、コイルと磁性コアとの組合体をケース内で固定する封止樹脂部の構成樹脂の量を低減しつつ、組合体のケースからの脱落を効果的に抑制できるリアクトルに関する。
【背景技術】
【０００２】
電圧の昇圧動作や降圧動作を行う回路の部品の一つに、リアクトルがある。リアクトルは、ハイブリッド自動車などの車両に搭載されるコンバータに利用される。
【０００３】
例えば、特許文献１は、コイルとコア（磁性コア）とを備えるリアクトル（組合体）がケースに収納され、ケースに固定されるステー部材（支持部）とケースに充填される樹脂（封止樹脂部）とでリアクトルをケースに固定したリアクトル構造体（リアクトル）を開示している。ステー部材は、コアのうちコイルから露出する露出部を上から押さえつけている。樹脂は、リアクトル全体を埋設するようにケース内に充填している。
【先行技術文献】
【特許文献】
【０００４】
【特許文献１】特開２０１３−０５５３６４号公報
【発明の概要】
【発明が解決しようとする課題】
【０００５】
上述のリアクトルでは、組合体全体を埋設するように封止樹脂部の構成樹脂を充填するため、構成樹脂の充填量が多くなる。そのため、生産性の向上などから封止樹脂部の構成樹脂の充填量を低減することが望まれている。封止樹脂部をなくせば構成樹脂の充填量を低減できるが、組合体のケースへの固定が基本的に支持部だけになり、その固定が不十分になる虞がある。
【０００６】
本発明は、上記の事情に鑑みてなされたもので、その目的の一つは、コイルと磁性コアとの組合体をケース内で固定する封止樹脂部の構成樹脂の量を低減しつつ、組合体のケースからの脱落を効果的に抑制できるリアクトルを提供することにある。
【課題を解決するための手段】
【０００７】
本発明の一態様に係るリアクトルは、コイルと、コイルの内部に位置する内側コア部及びコイルから露出する外側コア部を有する磁性コアと、コイルと磁性コアとの組合体を内部に収納するケースとを備える。ケースの組合体が載置される側を下側とする。外側コア部は、内側コア部の上面よりも下方に位置する低上面部を有する。このリアクトルは、更に、支持部と封止樹脂部とを備える。支持部は、外側コア部の低上面部の上方に配置されると共に、低上面部との重複領域が内側コア部の上面よりも下方に位置する。封止樹脂部は、ケース内に充填されて支持部の少なくとも一部を埋設する。封止樹脂部の上面が、内側コア部の上面よりも下方に位置する。
【発明の効果】
【０００８】
上記リアクトルは、封止樹脂部の構成樹脂の量を低減しつつ、組合体のケースからの脱落を効果的に抑制できる。
【図面の簡単な説明】
【０００９】
【図１】実施形態１のリアクトルを示す概略斜視図である。
【図２】図１に示すリアクトルの（ＩＩ）−（ＩＩ）切断線で切断した状態を示す部分断面図である。
【図３】図１に示すリアクトルの（ＩＩＩ）−（ＩＩＩ）切断線で切断した状態を示す部分断面図である。
【図４】実施形態１のリアクトルの概略を示す分解斜視図である。
【図５】実施形態１のリアクトルに備わる組合体の分解斜視図である。
【図６】実施形態２のリアクトルに備わるケースの一部を切断した状態を示す部分断面図である。
【図７】実施形態３のリアクトルに備わるケースの一部を切断した状態を示す部分断面図である。
【図８】実施形態４のリアクトルに備わるケースの一部を切断した状態を示す部分断面図である。
【発明を実施するための形態】
【００１０】
《本発明の実施形態の説明》
最初に本発明の実施態様を列記して説明する。
【００１１】
（１）本発明の一態様に係るリアクトルは、コイルと、コイルの内部に位置する内側コア部及びコイルから露出する外側コア部を有する磁性コアと、コイルと磁性コアとの組合体を内部に収納するケースとを備える。ケースの組合体が載置される側を下側とする。外側コア部は、内側コア部の上面よりも下方に位置する低上面部を有する。このリアクトルは、更に、支持部と封止樹脂部とを備える。支持部は、外側コア部の低上面部の上方に配置されると共に、低上面部との重複領域が内側コア部の上面よりも下方に位置する。封止樹脂部は、ケース内に充填されて支持部の少なくとも一部を埋設する。封止樹脂部の上面が、内側コア部の上面よりも下方に位置する。
【００１２】
上記の構成によれば、封止樹脂部の上面が内側コア部の上面よりも下方に位置するため、封止樹脂部が組合体全体を埋設する場合に比較して、封止樹脂部の構成樹脂の量を低減できる。そして、封止樹脂部で組合体の一部を封止している上に支持部の少なくとも一部を封止することで、組合体のケースへの固定を封止樹脂部と支持部との両方で行えるため、封止樹脂部の量が少なくても、組合体のケースからの脱落を効果的に抑制できる。
【００１３】
（２）上記リアクトルの一形態として、低上面部は、外側コア部のうち内側コア部と反対側に張り出して設けられていることが挙げられる。
【００１４】
上記の構成によれば、低上面部を外側コア部のうち内側コア部と反対側の面を切り欠いた切欠により形成する場合に比較して磁路面積が減少しないため、磁気特性に優れる。また、組み立ての際、低上面部の上方に支持部を配置し易いので、組合体のケースへの固定を行い易い。
【００１５】
（３）上記リアクトルの一形態として、低上面部は、外側コア部のうち内側コア部と反対側の面を切り欠いた切欠により形成されていることが挙げられる。
【００１６】
上記の構成によれば、低上面部を外側コア部のうち内側コア部と反対側に張り出して設ける場合に比較して、リアクトルのコイル軸方向に沿ったサイズを小さくし易く軽量化を図り易い。
【００１７】
（４）上記リアクトルの一形態として、外側コア部の低上面部、支持部の重複領域、及び封止樹脂部の上面は、内側コア部の高さの半分よりも下方に位置していることが挙げられる。
【００１８】
上記の構成によれば、封止樹脂部の高さをリアクトル全体を埋設する高さとする従来のリアクトルに比較して封止樹脂部の高さを半分以下にできるため、封止樹脂部の構成樹脂の量をより一層低減できる。
【００１９】
（５）上記リアクトルの一形態として、支持部は、ケースとは別部材で、ケースに取り付けられることが挙げられる。
【００２０】
上記の構成によれば、支持部がケースと一連に形成されている場合に比較して、支持部のケースとの接触箇所を少なくし易く、磁性コアの磁歪などの振動がケースに伝達し難くできるため、騒音を低減し易い。また、支持部の材質をケースの材質と異ならせることもできるため、材質の選択肢を広げられる。更に、支持部の形状の選択肢も広げられる。
【００２１】
（６）上記リアクトルの一形態として、ケースは、組合体が載置される底板部と、組合体の周囲を囲む側壁部とを備え、側壁部の高さが、内側コア部の上面よりも低いことが挙げられる。
【００２２】
上記の構成によれば、側壁部が組合体の高さと同等以上である従来のリアクトルに比較して、側壁部の構成材料を低減でき、リアクトルの軽量化を図れる。従来のリアクトルは、封止樹脂部で組合体全体を埋設しているため、ケースの側壁部の高さは、少なくとも組合体の高さ以上必要であった。これに対して、上記リアクトルでは、封止樹脂部の上面が内側コア部の上面よりも下側に位置するため、ケースの側壁部の高さを低くできる。
【００２３】
（７）上記リアクトルの一形態として、封止樹脂部は、外側コア部における低上面部の上面と支持部の下面との間に介在されていることが挙げられる。
【００２４】
上記の構成によれば、コアの損傷を抑制できる。外側コア部の低上面部の上面と支持部の下面との間に封止樹脂部を介在させることで、支持部を外側コア部の低上面部の上面に接触させる場合に比較して、リアクトルの動作時の振動による外側コア部への応力の付加を緩和できるからである。
【００２５】
また、上記の構成によれば、ケースの振動を抑制できるため、騒音を抑制できる。外側コア部の低上面部の上面と支持部の下面との間に封止樹脂部を介在させることで、支持部を外側コア部の低上面部の上面に接触させる場合に比較して、支持部が磁性コアの振動のケースへの伝達経路になり難いからである。
【００２６】
《本発明の実施形態の詳細》
本発明の実施形態の詳細を、以下に図面を参照しつつ説明する。
【００２７】
《実施形態１》
〔リアクトルの全体構成〕
図１〜５を参照して、実施形態１のリアクトル１Ａを説明する。リアクトル１Ａは、コイル２と、コイル２の内部に位置する内側コア部及びコイル２から露出する外側コア部を有する磁性コア３と、コイル２と磁性コア３との組合体１０Ａを内部に収納するケース４とを備える。このリアクトル１Ａは、更に、組合体１０Ａをケース４に固定する支持部５及び封止樹脂部６を備える。リアクトル１Ａの主たる特徴とするところは、外側コア部が内側コア部の上面よりも下方に位置する低上面部３２３を有し、支持部５をその低上面部３２３に重複させると共に、封止樹脂部６の形成領域を、その低上面部３２３を封止する程度の範囲とする点にある。ここでは、ケース４の組合体１０Ａが載置される側（設置側）を下側、その反対側（対向側）を上側とし、コイル２の軸方向において外側コア部のコイル２に近い側をコイル近接側、その反対側をコイル離隔側とする。また、リアクトル１Ａにおける上下方向に沿った長さを高さ、上下方向及びコイル２の軸方向の両方向に直交する方向に沿った長さを幅とする。以下、リアクトル１Ａの主たる特徴部分及び関連する部分の構成、並びに主要な効果を順に説明し、その後、各構成を詳細に説明し、最後にリアクトル１Ａの製造方法を説明する。図中の同一符号は同一名称物を示す。
【００２８】
〔主たる特徴部分及び関連する部分の構成〕
［コイル］
コイル２は、接合部の無い１本の連続する巻線２ｗを螺旋状に巻回してなる一対の巻回部２ａ，２ｂと、巻線２ｗの一部から形成されて両巻回部２ａ，２ｂを連結する連結部２ｒとを備える（図１，４，５）。巻線２ｗは、平角線の導体（銅など）と、この導体の外周を覆う絶縁被覆（ポリアミドイミドなど）とを備える被覆平角線（所謂エナメル線）である。巻回部２ａ，２ｂは、この被覆平角線をエッジワイズ巻きしたエッジワイズコイルである。各巻回部２ａ，２ｂは、互いに同一の巻数の中空の筒状体であり、各巻回部２ａ，２ｂの端面形状は、矩形枠の角部を丸めた形状としている。各巻回部２ａ，２ｂの配置は、各軸方向が平行するように横並び（並列）した状態としている。
【００２９】
連結部２ｒは、コイル２の軸方向一端側（図１，４，５紙面右側）の上側で、巻線２ｗの一部をＵ字状に屈曲して構成している。各巻回部２ａ，２ｂを形成する巻線２ｗの両端部２ｅは、連結部２ｒ側と反対側の上側でターン形成部分からコイル２の上方へ引き延ばされている。両端部２ｅは、その先端の絶縁被覆が剥されて露出した導体に端子部材（図示略）が接続される。コイル２は、この端子部材を介してコイル２に電力供給を行なう電源などの外部装置（図示略）が接続される。
【００３０】
［磁性コア］
磁性コア３は、巻回部２ａ，２ｂから露出する外側コア部と、巻回部２ａ，２ｂの内側に配置される内側コア部とを備える。磁性コア３は、複数のコア片を組み合わせて構成される。複数のコア片の組み合わせは、適宜選択できる。ここでは、磁性コア３は、図５に示すように、複数の角柱状コア片３１ｍと、一対のＵ字状コア片３２ｍと、各コア片間に介在される複数のギャップ部分３１ｇとで構成される。角柱状コア片３１ｍは、その全体が巻回部２ａ，２ｂ内に配置される。一対のＵ字状コア片３２ｍは、同一の形状であり、巻回部２ａ，２ｂの内側に配置される部分と、巻回部２ａ，２ｂの外に配置（露出）される部分との両方を有する。Ｕ字状コア片３２ｍは、Ｕ字の開口部が向かい合うように配置され、角柱状コア片３１ｍとギャップ部分３１ｇとの積層物が、Ｕ字状コア片３２ｍ，３２ｍ間に横並び（並列）に配置される。この配置によって、磁性コア３は環状に組み付けられ、コイル２を励磁したときに閉磁路を形成する。
【００３１】
この磁性コア３では、このＵ字状コア片３２ｍのうち巻回部２ａ，２ｂの外に配置される部分を外側コア部といい、複数の角柱状コア片３１ｍと複数のギャップ部分３１ｇとＵ字状コア片３２ｍのうち巻回部２ａ，２ｂ内に配置される部分とを内側コア部という。ここでは、Ｕ字状コア片３２ｍは、基部３２１と、一対の突出部３２２と、低上面部３２３とを備える。これら基部３２１，突出部３２２、及び低上面部３２３は、一体に成形された一体物である。基部３２１は、巻回部２ａ，２ｂの外側のコイル近接側で巻回部２ａ，２ｂ間に跨るように配置される。一対の突出部３２２は、基部３２１のコイル近接側から突出して巻回部２ａ，２ｂ内にそれぞれ配置される。低上面部３２３は、基部３２１のコイル隔離側から突出部３２２とは反対側に張り出される。即ち、外側コア部は、実質的に基部３２１と低上面部３２３とで構成され、内側コア部は、実質的に角柱状コア片３１ｍとギャップ部分３１ｇとＵ字状コア片３２ｍの突出部３２２とで構成される（内側コア部は後述）。
【００３２】
（外側コア部）
〈基部〉
基部３２１の形状は、略直方体状である。基部３２１の上面は、突出部３２２及び角柱状コア片３１ｍの上面と略面一であり、低上面部３２３の上面よりも上側にある。基部３２１の下面は、角柱状コア片３１ｍの下面よりも下側に突出しているが、コイル２の下面よりも高い位置にある。即ち、組合体１０Ａの設置面は、実質的にコイル２の下面で構成されていて、基部３２１の下面と底板部４１との間には、封止樹脂部６が介在されている（図２、３）。このようにコイル２が底板部４１に接触していることで放熱性を確保しつつ、基部３２１の下面と底板部４１との間に封止樹脂部６が介在していることで、基部３２１を介したケース４への振動の伝達を抑制できて騒音を低減できる。
【００３３】
〈低上面部〉
低上面部３２３は、内側コア部（角柱状コア片３１ｍ）の上面よりも下方に位置する上面を有する。低上面部３２３は、例えば、外側コア部（基部３２１）のコイル離隔側に張り出して形成したり（図１など）、外側コア部（基部３２１）のコイル離隔側の面又はコイル近接側の面を切り欠いた切欠３２４により形成したり（図７、８）することが挙げられる。ここでは、低上面部３２３は、上述したように基部３２１のコイル離隔側に張り出して形成する。低上面部３２３を基部３２１の切欠３２４により形成する形態については、後述する実施形態３，４でそれぞれ図７，８を参照して説明する。
【００３４】
低上面部３２３の形状は、ブロック状である。低上面部３２３の上面の位置は、基部３２１の上面よりも下側にある。即ち、低上面部３２３の上面の高さは、基部３２１の上面よりも低い。それにより、低上面部３２３の上面に重複するように支持部５を配置しても、支持部５の上面と、封止樹脂部６の上面とを基部３２１の上面よりも低くし易い。そのため、封止樹脂部６の量を低減し易い。低上面部３２３の上面の位置は、内側コア部（角柱状コア片３１ｍ）の高さＨｉの半分（高さの中心Ｈｃ：図３）よりも下側であることが好ましい。そうすれば、支持部５及び封止樹脂部６の上面の位置を内側コア部の高さの中心Ｈｃよりも下方にし易い。従って、封止樹脂部６の量をより一層低減し易い。この低上面部３２３の上面は、基部３２１の上面と略平行である。
【００３５】
低上面部３２３の下面の位置は、基部３２１の下面と面一であってもよいし、基部３２１の下面よりも上側であってもよい。基部３２１の下面がコイル２の下面よりも高い位置にあるため、いずれであっても、底板部４１と基部３２１の下面との間と同様、底板部４１と低上面部３２３の下面との間にも封止樹脂部６が介在される。ここでは、低上面部３２３の下面は基部３２１の下面と面一にしている（図２，図３）。
【００３６】
低上面部３２３の幅方向に沿った形成領域は、基部３２１の幅方向の一部の領域としてもよいし、基部３２１の幅方向の全長に亘る領域としてもよい。ここでの幅は、巻回部２ａ，２ｂの並列方向に沿っている。低上面部３２３の上記形成領域を基部３２１の幅方向の一部の領域とする場合、その形成箇所は、例えば、基部３２１の幅方向中央の１箇所としてもよいし、基部３２１の幅方向両端の２箇所に互いの間隔を設けてもよい。低上面部３２３の上記形成領域を基部３２１の幅方向の一部の領域とする場合、その形成領域の幅（複数の場合、その合計）は、基部３２１の幅の４０％程度以上が好ましく、５０％以上、更には６０％以上が好ましい。この形成領域は、広いほど支持部５と封止樹脂部６により組合体１０Ａをケース４へ強固に固定できるため、基部３２１の幅方向の全長に亘る領域とすることが好ましい。ここでは、上記形成領域は、基部３２１の幅方向の全長に亘る領域としている（図２）。即ち、外側コア部（基部３２１と低上面部３２３とを合わせた）の断面形状（コイル軸方向に沿って切断）は、断面Ｌ字状である（図３）。
【００３７】
［ケース］
ケース４は、コイル２と磁性コア３との組合体１０Ａを内部に収納する（図１，〜４）。ケース４は、組合体１０Ａを収納することで、組合体１０Ａの外部環境(粉塵や腐食など)からの保護や機械的保護を図ることができる。ケース４は、組合体１０Ａが載置される底板部４１と、組合体１０Ａの周囲を囲む側壁部４２とを備える。底板部４１は、平板状であり、その下面を冷却ベースなどの設置対象（図示略）に設置する。側壁部４２は、底板部４１の周縁に立設される略矩形枠状である。底板部４０と側壁部４１とは、後述するように分離可能な別部材で構成（図６）してもよいが、ここでは一体に成形されている。
【００３８】
側壁部４２の高さは、内側コア部（角柱状コア片３１ｍ）や基部３２１の上面よりも低いことが好ましい。そうすれば、ケース４の構成材料を低減できる上に、封止樹脂部６の充填量を低減できてリアクトル１Ａの軽量化を図れる。側壁部４２の高さは、内側コア部の高さの中心Ｈｃよりも下側とすることができる（図３）。
【００３９】
側壁部４２の内周面の４つの角部には、支持部５を取り付けるための取付台４３を備える（図４）。取付台４３は、ケース４内の各角部を埋めるように形成された柱状に構成されている。取付台４３の上面は、平面で構成され、支持部５を取り付ける取付面４３ｕとなる。取付面４３ｕには、支持部５を固定するためのボルト５３が挿通される挿通孔４３ｈが形成されている。
【００４０】
取付面４３ｕ（取付台４３）の位置（高さ）は、支持部５の形状や、支持部５による低上面部３２３の上面の支持の仕方（直接か間接か）などに合わせて、低上面部３２３の上面と略面一としたりその上面よりも高くしたり低くしたり適宜選択できる。取付面４３ｕの位置は、支持部５の下面と低上面部３２３の上面との間に隙間が形成されるように適宜選択することが好ましい（図２）。その隙間に封止樹脂部６を介在させれば、低上面部３２３の損傷を抑制し易い。その上、支持部５を介した外側コア部の振動のケース４への伝達の抑制に効果的である。支持部５を低上面部３２３に接触させる場合に比較して、リアクトル１Ａの動作時の振動による低上面部３２３への応力の付加を緩和させられる上に、支持部５が磁性コア３の振動のケース４への伝達経路になり難いからである。
【００４１】
ここでは、取付面４３ｕ（取付台４３）の位置（高さ）は、低上面部３２３の上面よりも高くしている。後述するように、支持部５の形状が平板状であり、この支持部５による低上面部３２３の上面の支持を封止樹脂部６を介して間接的に行うからである。即ち、取付面４３ｕの位置を低上面部３２３の上面よりも高くすることで、組合体１０Ａをケース４に収納して平板状の支持部５を取付台４３に取り付けると、低上面部３２３の上面と支持部５の下面との間に封止樹脂部６を介在させられる隙間を形成できる（図２、３）。
【００４２】
取付面４３ｕ（取付台４３）の位置（高さ）は、支持部５の下面と低上面部３２３の上面との間の間隔ｄ（図２）が、１ｍｍ以上１０ｍｍ以下となるように適宜選択することが好ましい。上記間隔ｄを１ｍｍ以上とすることで、支持部５と低上面部３２３との間に封止樹脂部６の構成樹脂を隙間なく速やかに充填させ易い。その上、外側コア部の振動のケース４への伝達の抑制に効果的である。上記間隔ｄを１０ｍｍ以下とすることで、リアクトル１Ａの小型化に寄与する。上記間隔が広すぎると、リアクトル１Ａの高さが高くなり、封止樹脂部６の充填量が多くなり、リアクトル１Ａの大型化、重量化を招く。上記間隔ｄは、取付台４３の高さや支持部５の形状により適宜調整できる。上記間隔ｄは、支持部５の重複部５２の下面と低上面部３２３の上面との間の最も狭い箇所を言う。上記間隔ｄは、１ｍｍ以上３ｍｍ以下がより好ましい。
【００４３】
取付台４３の内周面は、組合体１０Ａの輪郭形状（外側コア部の外周面と各巻回部２ａ，２ｂの端面）に沿っている（図４）。
【００４４】
底板部４１と側壁部４２とで囲まれる内部空間は、組合体１０Ａの収納空間に利用される。上記内部空間の大きさは、組合体１０Ａを収納した際、組合体１０Ａの側面との間に封止樹脂部６の構成樹脂が充填される隙間が形成される程度である（図２）。即ち、封止樹脂部６の構成樹脂を充填・硬化すれば、ケース４の側壁部４２の内周面と封止樹脂部６との間には実質的に隙間が形成されない（図１〜３）。
【００４５】
ケース４の材質は、アルミニウムやその合金、マグネシウムやその合金、銅やその合金、銀やその合金、鉄やオーステナイト系ステンレス鋼などの金属が好適である。これらの金属は熱伝導率が比較的高いので、その全体を放熱経路に利用でき、組合体１０Ａに発生した熱を設置対象（例えば、冷却ベース）に効率良く放熱でき、リアクトル１Ａの放熱性を高められる。底板部４１への組合体１０Ａの固定は、例えば、後述する樹脂層９（図３、４）により行える。
【００４６】
［支持部］
支持部５は、封止樹脂部６と共に組合体１０Ａのケース４からの脱落を防止する。支持部５は、内側コア部（角柱状コア片３１ｍ）や基部３２１の上面よりも下側に位置すると共に低上面部３２３の上面に重複するように配置される。この支持部５は、例えば、ケース４とは別部材で構成したり、ケース４に一連に形成（図６）して構成したりすることが挙げられる。ここでは、支持部５は、ケース４とは別部材で構成する。支持部５をケース４に一連に形成する形態については、後述する実施形態２で図６を参照して説明する。
【００４７】
支持部５は、低上面部３２３の上面を支持する。支持部５による低上面部３２３の上面の支持は、支持部５を低上面部３２３の上面に直接接触させて行ってもよいし、後述するように低上面部３２３と支持部５との間の固化された封止樹脂部６を介して間接的に行ってもよい。支持部５を低上面部３２３の上面に直接接触させる場合、支持部５により低上面部３２３の上面を下面側へ向かって押圧させてもよい。ここでの支持部５による上記支持は、封止樹脂部６を介して間接的に行う。
【００４８】
支持部５は、ケース４（取付台４３）に取り付けられる固定部５１と、外側コア部の低上面部３２２の上面に重複する重複部５２とを備える。固定部５１は、長手方向の両端側に設けられ、重複部５２は、長手方向の略中央に設けられている。固定部５１には、支持部５を取付台４３に固定するためのボルト５３などの締結部材が挿通される挿通孔５１ｈが形成されている（図４）。なお、図２、３では、説明の便宜上、挿通孔４３ｈ、挿通孔５１ｈ、及びボルト５３は省略して示している。
【００４９】
支持部５の上面は、基部３２１の上面よりも低い。ここでいう支持部５の上面とは、主に重複部５２の上面を言う。特に、支持部５の上面は、図３に示すように、内側コア部の高さの中心Ｈｃよりも下側に位置していることが好ましい。
【００５０】
支持部５の形状は、固定部５１と重複部５２とが取付面４３ｕと略平行で屈曲部のない平板で構成している。支持部５を平板で構成することで、組合体１０Ａをケース４に収納して支持部５の固定部５１を取付台４３に取り付けた際、外側コア部の上面と支持部５の重複部５２の下面との間に封止樹脂部６を介在させられる所定の間隔ｄの隙間を形成できる。上述したように、取付面４３ｕ（取付台４３）の位置（高さ）を低上面部３２３の上面よりも高くしているためである。支持部５を低上面部３２３に接触させる場合には、支持部５の形状は、平板の他、平板ばねで構成してもよい。このとき、支持部５で低上面部３２３の上面を積極的に押圧する場合には、下側に反った平板ばねを用いるとよい。
【００５１】
例えば、取付面４３ｕの位置が外側コア部の上面よりも十分に高い場合、支持部５の形状は、重複部５２が固定部５１に比べて低くなるように段差状に折り曲げた凹型の平板や板ばねで構成することもできる。また、外側コア部の上面と略面一の場合やその上面よりも低い場合には、支持部５の形状を、例えば、重複部５２が固定部５１に比べて高くなるように段差状に折り曲げた凸型の平板や板ばねで構成するとよい。
【００５２】
支持部５の材質は、ケース４の材質と異ならせることができるが、ケース４と同様の金属とすることができる。支持部５と外側コア部との間に介在される封止樹脂部６により両者を絶縁できるためである。そのため、支持部５の重複部５２に絶縁性の樹脂被覆を設ける必要がない。支持部５を金属で構成すれば、支持部５の固定部５１を金属製のケース４へ強固に固定できるため、組合体１０Ａのケース４からの脱落を抑制し易い。
【００５３】
［封止樹脂］
封止樹脂部６は、ケース４内に充填され、ケース４内に収納された組合体１０Ａの一部を封止する（図１〜３）。この封止樹脂部６により、支持部５と共に組合体１０Ａのケース４からの脱落を防止できる。また、組合体１０Ａのケース４を介した放熱性の向上や、コイル２に通電したときに発生する磁性コア３の振動及びこの振動に起因する騒音の低減などを図り易い。
【００５４】
封止樹脂部６の上面は、内側コア部（角柱状コア片３１ｍ）や基部３２１の上面よりも低い。それにより、封止樹脂部６の量を低減できる。封止樹脂部６の上面の位置は、支持部５の下面の位置にもよるが、角柱状コア片３１ｍの高さの中心Ｈｃよりも下側に位置していることが好ましい。そうすれば、封止樹脂部６の量をより一層低減できる。
【００５５】
封止樹脂部６の上面の位置は、支持部５の下面に略面一となる高さ以上とすることが挙げられる。即ち、封止樹脂部６の形成領域は、底板部４１の上面から少なくとも支持部５の下面に至るまでの領域とすることが挙げられる。このとき、本形態のように低上面部３２３の上面と支持部５とが接触せず、両者の間の全域に亘って隙間が形成されている場合、その隙間の全域に亘って封止樹脂部６が介在する（図２）。封止樹脂部６が外側コア部と支持部５との間に介在することで、支持部５が外側コア部に直接接触しないため、磁性コア３の振動に伴う外側コア部への応力の付加を低減し易い上に、支持部５を介した磁性コア３の振動のケース４への伝達を抑制し易い。
【００５６】
封止樹脂部６の上面は、支持部５の下面と上面との間に位置していてもよいし、支持部５の上面よりも上方に位置していてもよい。即ち、封止樹脂部６の形成領域は、底板部４１の上面から支持部５の一部が埋設される（一部が露出する）高さに至るまでの領域としてもよいし、支持部５の全体が埋設される高さに至るまでの領域としてもよい。支持部５の一部が埋設される高さとする場合は、支持部５の全体が埋設される高さとする場合に比べて封止樹脂部６の量を減らせられて軽量化できる。支持部５の全体が埋設される高さとする場合は、支持部５の一部が埋設される高さとする場合に比較して、組合体１０Ａの固定を強固にし易い上に、支持部５を外部環境から保護し易い。この封止樹脂部６の上面は、封止樹脂部６の硬化後の表面であって、ケース４内に未硬化の封止樹脂部６の構成樹脂を充填した際に液面であった面に相当する。
【００５７】
ここでは、封止樹脂部６の高さは内側コア部（角柱状コア片３１ｍ）の高さの中心Ｈｃよりも低く、封止樹脂部６の形成領域は底板部４１の上面から支持部５の全体を埋設する高さに至る領域である。即ち、組合体１０Ａの上半分は、封止樹脂部６から露出している。封止樹脂部６は、外側コア部（基部３２１及び低上面部３２３）の下面と底板部４１との間にも介在している（図２、３）。
【００５８】
封止樹脂部６の構成樹脂は、例えば、エポキシ樹脂、ウレタン樹脂、シリコーン樹脂、不飽和ポリエステル樹脂などの絶縁性樹脂が挙げられる。封止樹脂部６をこれらの樹脂の中でも硬い樹脂で構成すれば、共振の防止を期待でき、柔らかい樹脂で構成すれば、磁性コア３の振動を吸収してケース４への伝達を抑制し易い。柔らかい樹脂で構成する場合、例えば封止樹脂部６のショアＡ硬さは２０以上９０以下とすることが挙げられる。このショアＡ硬さは、「プラスチックのデュロメータ硬さ試験方法  ＪＩＳ  Ｋ  ７２１５（１９８６）」に準拠した値である。ショアＡ硬さを２０以上とすることで、組合体１０Ａをケース４にしっかり固定し易く、組合体１０Ａのケース４からの脱落を抑制し易い。ショアＡ硬さを９０以下とすることで、磁性コア３の振動のケース４への伝達を抑制し易い。封止樹脂部６の構成樹脂は、更に、絶縁性や放熱性に優れるフィラーを含有すると、絶縁性や放熱性（熱伝導性）を高められる。なお、柔らかい樹脂で構成される領域は外側コア部の上面と支持部５との間の領域のみとし、それ以外の領域はこの領域よりも硬い樹脂で構成してもよい。
【００５９】
〔リアクトルの主たる特徴部分における作用効果〕
リアクトル１Ａによれば、以下の効果を奏することができる。
【００６０】
（１）封止樹脂部６の上面が基部３２１よりも低いため、封止樹脂部が組合体全体を埋設する従来のリアクトルに比較して封止樹脂部６の構成樹脂の量を低減できる。
【００６１】
（２）封止樹脂部６が組合体１０Ａの一部を封止している上に低上面部３２３の上面を支持する支持部５を埋設していることで、封止樹脂部６の量が少なくても、組合体１０Ａのケース４からの脱落を効果的に抑制できる。
【００６２】
（３）封止樹脂部６が低上面部３２３の上面と支持部５の下面との間に介在していることで、支持部５を低上面部３２３に接触させる場合に比較して、低上面部３２３への応力の付加を緩和でき、低上面部３２３の損傷を抑制できる。
【００６３】
（４）封止樹脂部６が低上面部３２３の上面と支持部５の下面との間に介在していることで、支持部５を低上面部３２３に接触させる場合に比較して、支持部５が磁性コア３の振動のケース４への伝達経路になり難い。そのため、ケース４の振動、及び騒音を抑制できる。
【００６４】
〔その他の特徴部分を含む各構成の説明〕
［磁性コア］
磁性コア３の内側コア部は、上述したように、複数の角柱状コア片３１ｍと、一対のＵ字状コア片３２ｍの突出部３２２と、各コア片間に介在される複数のギャップ部分３１ｇとで構成される（図５）。
【００６５】
（内側コア部）
角柱状コア片３１ｍの形状は、巻回部２ａ，２ｂの内周形状に合わせた形状であることが好ましい。ここでは、角柱状コア片３１ｍの形状は直方体状であり、その角部は巻回部２ａ，２ｂの内周面の角部に沿って丸められている。角柱状コア片３１ｍの個数は、適宜選択できる。
【００６６】
Ｕ字状コア片３２ｍにおける一対の突出部３２２，３２２の端面は、角柱状コア片３１ｍの端面とほぼ同じ形状及び大きさであり、その大きさ及び突出長さは、コイル２に応じた所定の磁路断面積を有するように適宜選択できる。一対の突出部３２２，３２２の形状は、巻回部２ａ，２ｂの形状に合わせた形状であることが好ましく、ここでは、角部が実質的に巻回部２ａ，２ｂの内周面の角部に沿って丸められている。
【００６７】
ギャップ部分３１ｇの形状は、隣り合うコア片（３１ｍと３１ｍ、３１ｍと３２ｍ）間に形成される隙間に沿った形状であり、例えば、平面視した（コイル軸方向から見た）際、長方形状の平板とすることが挙げられる。ギャップ部分３１ｇの形状や個数は適宜選択できる。ギャップ部分３１ｇと隣り合うコア片との一体化は接着剤などを利用できる。
【００６８】
（コア片及びギャップ部分の材質）
両コア片３１ｍ，３２ｍの材質は、軟磁性材料を３０体積％以上、更に５０体積％超含むことが挙げられる。具体的には、鉄や鉄合金（Ｆｅ−Ｓｉ合金、Ｆｅ−Ｎｉ合金など）といった軟磁性金属粉末や更に絶縁被覆を備える被覆粉末などを圧縮成形した圧粉成形体、軟磁性粉末と樹脂とを含み樹脂が固化（硬化）している複合材料（成形硬化体）などが利用できる。この例では、両コア片３１ｍ，３２ｍは圧粉成形体で構成している。ギャップ部分３１ｇの具体的な材料は、アルミナや不飽和ポリエステルなどの非磁性材料、ＰＰＳ樹脂などの非磁性材料と磁性材料（磁性材料の例は、鉄粉などの軟磁性粉末）とを含む混合物などが挙げられる。
【００６９】
［介在部材］
リアクトル１Ａは、コイル２と磁性コア３との間に介在される介在部材８（図１〜５）を備える形態とすることができる。介在部材８は、コイル２と磁性コア３との間の電気的絶縁性を高める。
【００７０】
介在部材８は、例えば、コイル２の巻回部２ａ，２ｂの軸方向に分割される一対の分割片８０を組み合わせて形成される。各分割片８０は、巻回部２ａ，２ｂの端面とＵ字状コア片３２ｍ（基部３２１）の内端面との間に介在される端面介在部８１と、巻回部２ａ，２ｂと複数の角柱状コア片３１ｍを含む内側コア部との間の少なくとも一部に介在される内側介在部８２とを備えるものが挙げられる（図４）。端面介在部８１と内側介在部８２とは、一連に形成されている。
【００７１】
（端面介在部）
端面介在部８１は、巻回部２ａ，２ｂ（コイル２）の端面と外側コア部（基部３２１）との間を絶縁する。端面介在部８１は、各内側コア部がそれぞれ挿通可能な一対の開口部(貫通孔)を有するＢ字状の平板部材で構成される。端面介在部８１のコイル側面は、各巻回部２ａ、２ｂの上端面を除く端面（両側端面と下端面）と接触している（図３）。即ち、端面介在部８１はコイル２の上端面と接触せず、コイル２の上端面は端面介在部８１から露出されている。
【００７２】
（内側介在部）
内側介在部８２は、巻回部２ａ，２ｂ（コイル２）の内周面と内側コア部との間を絶縁する。内側介在部８２は、巻回部２ａ，２ｂにおける丸められた角部に沿って配置される複数の湾曲した板片から構成される。内側介在部８２を板片などとすることで、製造時、封止樹脂部６の構成材料である未固化の樹脂材料を充填し易い。内側介在部８２の端部はそれぞれ、係合するように形成されている。
【００７３】
（仕切部）
各分割片８０は、巻回部２ａ，２ｂ同士の絶縁を確保する仕切部８３を備える。仕切部８３は、端面介在部８１における内側介在部８２間で巻回部２ａ，２ｂ間に介在するように設けられる。仕切部８３は、端面介在部８１に一連に形成されている。
【００７４】
（材質）
介在部材８の構成樹脂は、ポリフェニレンスルフィド（ＰＰＳ）樹脂、ポリテトラフルオロエチレン（ＰＴＦＥ）樹脂、液晶ポリマー（ＬＣＰ）、ポリアミド（ＰＡ）樹脂、ポリブチレンテレフタレート（ＰＢＴ）樹脂などの熱可塑性樹脂が挙げられる。ここでは、ＰＰＳ樹脂を用いている。
【００７５】
［樹脂層］
樹脂層９は、コイル２の下面、及び磁性コア３の下面の少なくとも一方に接するように設けることができる（図３、４）。樹脂層９を備えることで、ケース４の底板部４１に組合体１０Ａを固定し易く、コイル２の動きの規制、放熱性の向上、底板部４１への固定の安定性などを図ることができる。ここでは、樹脂層９の大きさは、コイル２の下面全面に介在される程度としている。樹脂層９の構成材料は、絶縁性樹脂、特にセラミックスフィラーなどを含有して放熱性に優れるもの（例えば、熱伝導率は、０．１Ｗ／ｍ・Ｋ以上、更に１Ｗ／ｍ・Ｋ以上、特に２Ｗ／ｍ・Ｋ以上）が好ましい。具体的な樹脂は、エポキシ樹脂、シリコーン樹脂、不飽和ポリエステルなどの熱硬化性樹脂や、ＰＰＳ樹脂、ＬＣＰなどの熱可塑性樹脂が挙げられる。
【００７６】
〔リアクトルの製造方法〕
リアクトル１Ａは、例えば、以下の準備工程と、配置工程と、充填工程とを備えるリアクトルの製造方法によって製造できる。準備工程では、コイル２と磁性コア３とを組み合わせた組合体１０Ａと、ケース４と、支持部５及びボルト５３と、封止樹脂部６の構成樹脂と、樹脂層９とを準備する。配置工程では、ケース４の底板部４１の上面に樹脂層９を形成し、その樹脂層９の上に組合体１０Ａを載置する。続いて、支持部５をケース４の取付台４３の取付面４３ｕに載置し、ボルト５３で固定することで、低上面部３２３に重複させる。充填工程では、封止樹脂部６の構成樹脂をケース４内に所定の高さまで充填し、硬化（固化）させる。
【００７７】
この製造方法によれば、低上面部３２３を有する外側コア部と、低上面部３２３の上面に支持部５が重複するように取付台４３の高さ及び支持部５の形状を調整したケース４及び支持部５を準備することで、封止樹脂部６の構成樹脂の量を低減しつつ、組合体１０Ａのケース４からの脱落を効果的に抑制できるリアクトル１Ａを容易に製造できる。
【００７８】
《実施形態２》
主に図６を参照して、実施形態２のリアクトル１Ｂを説明する。リアクトル１Ｂの実施形態１のリアクトル１Ａとの主たる相違点は、支持部５をケース４と一連に形成する点にある。以下、相違点を中心に説明し、その他の実施形態１と同様の構成については説明を省略する。この点は、後述する実施形態３，４も同様である。
【００７９】
［ケース］
ケース４は、底板部４１と側壁部４２とを備える点は上述の実施形態１と同じであるが、この底板部４１と側壁部とを互いに分離可能な独立する別部材で構成している点が実施形態１と相違する。底板部４１と側壁部４２とを別部材で構成しているため、例えば、底板部４１を金属で構成し、側壁部４２を樹脂で構成するなどのように両者の材質を異ならせることができる。底板部４１と側壁部４２との一体化には、接着剤の他、互いに係合する係合機構や嵌合する嵌合機構などを設けておくことで容易に行える。支持部５をケース４（側壁部４２）と一連に形成して構成するため、上述の取付台４３（図４参照）は、設けなくてよい。
【００８０】
［支持部］
支持部５は、ケース４の側壁部４２の内周面に一連に形成される（図６）。支持部５は、側壁部４２の内周面からケース４の内側に向かって突出して、外側コア部の低上面部３２３の上面に重複する。支持部５による低上面部３２３の重複領域は、低上面部３２３の幅方向全長に亘っている。支持部５の形状は、特に限定されず、ここでは平板状としている。この支持部５と低上面部３２３との間には、封止樹脂部６が介在されている。支持部５は、樹脂製の側壁部４２と一体成形すると形成し易い。
【００８１】
このリアクトル１Ｂの製造は、次のようにして行える。底板部４１の上面に樹脂層９を形成し、その樹脂層９の上面に組合体１０Ａを載置した後に、側壁部４２を組合体１０Ａの上から被せて底板部４１と一体化する。その後、封止樹脂部６の構成樹脂の充填・硬化は実施形態１と同様にして行う。
【００８２】
リアクトル１Ｂによれば、支持部５がケース４に一連に形成されているため、ケース４と独立する支持部５を備える実施形態１のリアクトル１Ａに比較して、部品点数を低減できる。
【００８３】
《実施形態３》
主に図７を参照して、実施形態３のリアクトル１Ｃを説明する。リアクトル１Ｃの実施形態１のリアクトル１Ａとの相違点は、低上面部３２３を外側コア部のコイル離隔側に張り出して形成するのではなく（図１など）、低上面部３２３を外側コア部のコイル離隔側の面を切り欠いた切欠３２４により形成する（図７拡大図）ことにある。即ち、低上面部３２３は切欠３２４により形成された溝の下側に形成され、低上面部３２３の上面は切欠３２４の下方側の面と共通している。支持部５は、切欠３２４に配置されて、低上面部３２３の上面と重複する。
【００８４】
切欠３２４のサイズは、支持部５により組合体１０Ａのケース４からの脱落を防止しつつ、磁路面積が極力減少しない範囲とする。切欠３２４の幅方向に沿った形成領域は、外側コア部（基部３２１）のコイル離隔側で幅方向全長に亘っていてもよいし、基部３２１の幅方向の両端を除く中央に形成されていてもよい。切欠３２４を基部３２１の幅方向の略全長に亘って形成する場合、即ち、基部３２１の両側面に開口端が形成されている場合、支持部５の重複部５２を切欠３２４内に嵌め込み、支持部５の固定部５１をその開口端から露出させてケース４に固定してもよいし、切欠３２４の途中から切欠３２４の外側に露出させてケース４に固定してもよい。一方、切欠３２４を基部３２１の幅方向の中央部分に形成する場合、即ち、基部３２１の両側面に開口端が形成されていない場合、支持部５の固定部５１は、コイル離隔側に露出させてケース４に固定する。
【００８５】
ここでは、断面矩形状の切欠３２４を基部３２１の幅方向の略全長に亘って形成していて、その切欠３２４に支持部５の重複部５２（図４参照）が配置され、支持部５の固定部５１が基部３２１の両側面の開口端から露出して取付台４３（ケース４）に固定されている。支持部５と外側コア部とは非接触であり、両者の間の全域に亘って封止樹脂部６が介在されている。即ち、支持部５の下面と低上面部３２３の上面との間には、封止樹脂部６が介在されている。図７では、説明の便宜上、挿通孔４３ｈ、挿通孔５１ｈ、及びボルト５３（いずれも図４参照）は省略して示している。この点は、後述する実施形態４の図８でも同様である。
【００８６】
このリアクトル１Ｃの製造は、次のようにして行える。支持部５を組合体１０Ａにおける外側コア部の切欠３２４に配置して低上面部３２３の上面と重複させた状態でケース４内に収納する。取付台４３の取付面４３ｕの挿通孔４３ｈ（図４参照）に支持部５の固定部５１の挿通孔５１ｈ（図４参照）を位置合わせする。そして、ボルト５３（図４参照）を挿通孔４３に固定する。その後、封止樹脂部６の構成樹脂の充填・硬化は実施形態１と同様にして行う。
【００８７】
このリアクトル１Ｃによれば、低上面部３２３が基部３２１のコイル離隔側に張り出されないため、実施形態１のリアクトル１Ａに比較して、リアクトル１Ｃのコイル軸方向に沿ったサイズを小さくできる。そのため、リアクトル１Ｃの軽量化を図れる。
【００８８】
《実施形態４》
図８に示す実施形態４のリアクトル１Ｄのように、低上面部３２３は、外側コア部（基部３２１）のコイル近接側の面を切り欠いた切欠３２４により形成することもできる。この場合、上述の実施形態３と同様、リアクトル１Ｄの小型化・軽量化を図れる。
【００８９】
本発明はこれらの例示に限定されるものではなく、特許請求の範囲によって示され、特許請求の範囲と均等の意味および範囲内でのすべての変更が含まれることが意図される。例えば、磁性コアの複数のコア片の組み合わせをＵ−Ｕ型コア、Ｌ−Ｌ（Ｊ−Ｊ）型コアなどと呼ばれる形態としたり、４つの直方体状のコア片を環状に組み合わせる形態などとしたりすることができる。また、巻回部が一つのみであるコイルと、Ｅ−Ｅ型コアやＥ−Ｉ型コアなどと呼ばれる磁性コアとを備えるリアクトルとすることができる。
【産業上の利用可能性】
【００９０】
本発明のリアクトルは、ハイブリッド自動車、プラグインハイブリッド自動車、電気自動車、燃料電池自動車などの車両に搭載される車載用コンバータ（代表的にはＤＣ−ＤＣコンバータ）や空調機のコンバータなどの種々のコンバータ、電力変換装置の構成部品に好適に利用できる。
【符号の説明】
【００９１】
１Ａ、１Ｂ、１Ｃ、１Ｄ  リアクトル
１０Ａ  組合体
２  コイル
２ａ、２ｂ  巻回部  ２ｒ  連結部  ２ｗ  巻線  ２ｅ  端部
３  磁性コア
３１ｍ  角柱状コア片
３２ｍ  Ｕ字状コア片
３２１  基部  ３２２  突出部  ３２３  低上面部  ３２４  切欠
３１ｇ  ギャップ部分
４  ケース
４１  底板部  ４２  側壁部  ４３  取付台  ４３ｕ  取付面  ４３ｈ  挿通孔
５  支持部
５１  固定部  ５１ｈ  挿通孔  ５２  重複部  ５３  ボルト
６  封止樹脂部
８  介在部材
８０  分割片  ８１  端面介在部  ８２  内側介在部  ８３  仕切部
９  樹脂層
【図１】
0006436352.tif 000002
【図２】
0006436352.tif 000003
【図３】
0006436352.tif 000004
【図４】
0006436352.tif 000005
【図５】
0006436352.tif 000006
【図６】
0006436352.tif 000007
【図７】
0006436352.tif 000008
【図８】
0006436352.tif 000009